(57)【要約】【課題】  組み立て時において、煩雑な作業を行うことなく、撮像ユニットの撮像中心を適正な位置にすることができる画像読取装置を提供する。【解決手段】  フィルムキャリア１着脱自在に装着されるキャリア装着部２１３を備えたマウントベース２１０と、フィルムの画像を読み取る撮像ユニット２０が装備されたユニットフレーム部２１１と、マウントベース２１０とユニットフレーム部２１１とを連結する連結フレーム部２１２とを備えた画像読取装置において、ユニットフレーム部２１１又はマウントベース２１０の何れか一方と連結フレーム部２１２とが一体的に成形され、ユニットフレーム部２１１又はマウントベース２１０の何れか他方と連結フレーム部２１２とは、互いを位置決めする位置決手段５を備えると共に、位置決手段５で位置決めされた状態で連結されるように構成されていることを特徴とする。【選択図】図１
2007036817.tif 000002
【特許請求の範囲】
【請求項１】
フィルムを搬送するフィルムキャリアが着脱自在に装着されるキャリア装着部を備えたマウントベースと、フィルムの画像を読み取る撮像ユニットが装備されたユニットフレーム部と、キャリア装着部とユニットフレーム部とを互いに対向させ、マウントベースとユニットフレーム部とを連結する連結フレーム部とを備え、キャリア装着部に装着されたフィルムキャリアで搬送されるフィルムの画像を撮像ユニットで読み取るように構成された画像読取装置において、ユニットフレーム部又はマウントベースの何れか一方と連結フレーム部とが一体的に成形され、ユニットフレーム部又はマウントベースの何れか他方と連結フレーム部とは、互いを位置決めする位置決手段を備えると共に、位置決手段で位置決めされた状態で連結されるように構成されていることを特徴とする画像読取装置。
【請求項２】
前記位置決手段は、互いに嵌合する位置決ピンと位置決穴とで構成され、ユニットフレーム部又はマウントベースの何れか他方には、位置決ピン又は位置決穴の何れか一方が設けられると共に、連結フレーム部には、位置決ピン又は位置決穴の何れか他方が設けられている請求項１記載の画像読取装置。
【請求項３】
前記位置決ピン及び位置決穴が、並列に二つずつ設けられ、一方の位置決穴は位置決ピンの横断面形状に即して形成され、他方の位置決穴は並列方向に延びる長穴に形成されている請求項２記載の画像読取装置。
【発明の詳細な説明】
【技術分野】
【０００１】
本発明は、フィルムの画像を読み取る画像読取装置に関する。
【背景技術】
【０００２】
近年、写真分野においてもデジタル化が進み、フィルムに形成された画像をデジタルデータとして読み込み、そのデータを基に感光材料に対して露光処理を行って良好なプリントが得られている。
【０００３】
上述の如く、フィルムの画像をデータとして読み取るには、画像読取装置が用いられる。かかる画像読取装置は、フィルムを搬送するフィルムキャリアが着脱自在に装着されるキャリア装着部を備えたマウントベースと、フィルムの画像を読み取る撮像ユニットが装備されたユニットフレーム部と、キャリア装着部とユニットフレーム部とを互いに対向させ、マウントベースとユニットフレーム部とを連結する連結フレーム部とを備え、キャリア装着部に装着されたフィルムキャリアで搬送されるフィルムの画像を撮像ユニットで読み取るように構成されている。
【０００４】
前記撮像ユニットは、光学系レンズ及び撮像素子（ＣＣＤ）等の組み合わせより構成され、フィルムキャリアで搬送されるフィルムの画像を光学系レンズを介して撮像素子で撮像できるように構成されている。
【０００５】
ところで、かかる画像読取装置は、上述の如く、マウントベース、ユニットフレーム部、及び連結フレーム部のそれぞれが独立して形成されており、組み立て時において、ネジ部材等を介してこれら連結することで構築される。即ち、該画像読取装置は、光学系レンズ及び撮像素子が適正な位置となるように撮像ユニットをユニットフレーム部に装着した（組み付けた）上で、キャリア装着部に装着されるフィルムキャリア（フィルム）と撮像ユニットの撮像中心とが適正な位置関係になるよう、マウントベース、ユニットフレーム部、及び連結フレーム部の位置調整を行いつつ、これらを連結することにより構築されている。
【発明の開示】
【発明が解決しようとする課題】
【０００６】
しかしながら、上述の如く、マウントベース、ユニットフレーム部、及び連結フレーム部のそれぞれを独立に形成すると、組み立て時において、撮像ユニット（光学系レンズと撮像素子と）の位置合わせだけでなく、マウントベース、ユニットフレーム部、及び連結フレーム部の各相対位置を適宜調整して組み立てなければならず、組み立て作業が非常に煩雑である。さらに、その際には、マウントベース、ユニットフレーム部、及び連結フレーム部のそれぞれにおいて、光軸を一致させる必要があるため、精密な位置合わせを行う必要があった。
【０００７】
そこで、本発明は、斯かる実情に鑑み、組み立て時において、煩雑な作業を行うことなく、撮像ユニットの撮像中心を適正な位置にすることができる画像読取装置を提供することを課題とする。
【課題を解決するための手段】
【０００８】
本発明に係る画像読取装置は、フィルムを搬送するフィルムキャリアが着脱自在に装着されるキャリア装着部を備えたマウントベースと、フィルムの画像を読み取る撮像ユニットが装備されたユニットフレーム部と、キャリア装着部とユニットフレーム部とを互いに対向させ、マウントベースとユニットフレーム部とを連結する連結フレーム部とを備え、キャリア装着部に装着されたフィルムキャリアで搬送されるフィルムの画像を撮像ユニットで読み取るように構成された画像読取装置において、ユニットフレーム部又はマウントベースの何れか一方と連結フレーム部とが一体的に成形され、ユニットフレーム部又はマウントベースの何れか他方と連結フレーム部とは、互いを位置決めする位置決手段を備えると共に、位置決手段で位置決めされた状態で連結されるように構成されていることを特徴とする。
【０００９】
かかる画像読取装置によれば、ユニットフレーム部又はマウントベースの何れか一方と連結フレーム部とが一体的に成形されいるので、組み立て時においてユニットフレーム部又はマウントベースの何れか一方と連結フレーム部との位置調整が不要である。そして、ユニットフレーム部又はマウントベースの何れか他方と連結フレーム部とは、互いを位置決めする位置決手段を備え、該位置決手段で位置決めした状態で連結するように構成されているので、これらの位置ズレを確実に防止した上で連結させることができる。
【００１０】
従って、組み立て時において、ユニットフレーム部に対する撮像ユニットの取り付け位置を調整するだけでよく、組み立て時における作業の簡略化を図ることができる。
【００１１】
本発明の一態様として、前記位置決手段は、互いに嵌合する位置決ピンと位置決穴とで構成され、ユニットフレーム部又はマウントベースの何れか他方には、位置決ピン又は位置決穴の何れか一方が設けられると共に、連結フレーム部には、位置決ピン又は位置決穴の何れか他方が設けられもよい。このようにすれば、位置決手段が複雑化することなく、位置決ピンと位置決穴との嵌合で確実な位置決めを行うことができる。
【００１２】
この場合、前記位置決ピン及び位置決穴が、並列に二つずつ設けられ、一方の位置決穴は位置決ピンの横断面形状に即して形成され、他方の位置決穴は並列方向に延びる長穴に形成されていることが好ましい。このようにすれば、位置決ピンと位置決穴との嵌合が二カ所でなされるため、より確実な位置決めが可能となる。そして、位置決ピン及び位置決穴が、並列に二つずつ設けられると、位置決ピン又は位置決穴の形成精度（間隔の違い）によっては、両方を嵌合状態にすることができない場合があるが、一方の位置決穴は位置決ピンの横断面形状に即して形成され、他方の位置決穴は並列方向に延びる長穴に形成されているので、一方の位置決ピンを所定位置の位置決穴に嵌入すると共に、他方の位置決ピンを長穴の長さ方向の何れかの部分に嵌入することができる。
【発明の効果】
【００１３】
以上のように、本発明に係る画像読取装置によれば、組み立て時において、煩雑な作業を行うことなく、撮像ユニットの撮像中心を適正な位置にすることができるという優れた効果を奏し得る。
【発明を実施するための最良の形態】
【００１４】
以下、本発明の一実施形態に係る画像読取装置について、添付図面を参照しつつ説明する。
【００１５】
本実施形態に係る画像読取装置は、図１に示す如く、フィルムを搬送するフィルムキャリア１と、フィルムキャリア１が装着され、該フィルムキャリア１で搬送されるフィルムの画像を読み取る撮像装置２とで構成されている。
【００１６】
前記フィルムキャリア１は、フィルムの種類毎に設定されている。各フィルムキャリア１は、撮像装置２の後述するキャリア装着部２１３に対して着脱可能に構成されており、装着状態において、適正な位置（画像を読み取るのに適正な位置）で位置決めされた状態で装着できるように構成されている。また、フィルムキャリア１は、図２に示す如く、帯状をなすフィルムを長手方向に搬送する搬送手段１０を備えている。該搬送手段１０は、ケーシング１１に内装されており、キャリア装着部２１３に装着された状態で撮像装置２から信号及び駆動を受けるように構成されている。これにより、撮像装置２による撮像とフィルムＦの搬送とが同期をとるようになっている。
【００１７】
前記搬送手段１０は、前記ケーシング１１内に内装される搬送フレーム部１２と、該搬送フレーム部１２に装着された複数の搬送ローラ対（図示しない。）とを備えている。
【００１８】
前記搬送フレーム部１２は、上下に分割された一対の分割フレーム部１２ａ，１２ｂで構成されており、互いに対向する面に、フィルムＦの搬送軌道Ｒを構築すべく帯状の溝（図示しない。）が形成されている。これにより、フィルムＦの側端が溝の内面に案内されて蛇行を防止するようになっている。一対の分割フレーム部１２ａ，１２ｂのそれぞれには、フィルムＦの搬送方向と直交する方向に延びるように上下方向に貫通したスリット１３が形成されている。
【００１９】
複数の搬送ローラ対は、搬送軌道Ｒに対応して設けられている。具体的には、複数の搬送ローラ対は、搬送軌道Ｒの長手方向に間隔をおいて、各搬送軌道Ｒを構成する溝内に設けられている。本実施形態においては、搬送ローラ対を構成する一方のローラが下側の分割フレーム部１２ｂに枢着され、他方のローラが上側の分割フレーム部１２ａに枢着されている。これにより、一対の分割フレーム部１２ａ，１２ｂが重なりあった状態で、各ローラ同士が圧接しフィルムＦを圧着搬送できるようになっている。
【００２０】
前記ケーシング１１は、上下に分割された一対の分割ケース１１ａ，１１ｂで構成されている。該一対の分割ケース１１ａ，１１ｂは、一端部同士が枢着されて開閉可能に構成され、内装された搬送手段１０へのアクセスが可能となっている。ケーシング１１（一対の分割ケース１１ａ，１１ｂ）は、前記スリット１３と対応する位置に撮像スリット１４が形成されており、搬送軌道Ｒ上で搬送されるフィルムの画像を、前記スリット１３及び撮像用スリット１４を介して撮像装置２（後述する撮像ユニット２０）で読み取れるようになっている。
【００２１】
前記撮像装置２は、画像を読み取る撮像ユニット２０と、該撮像ユニット２０が装備されると共に前記フィルムキャリア１を装着可能に構成された本体２１と、フィルムキャリア１で搬送されるフィルムＦに光を照射する光源ユニット２２とで構成されている。
【００２２】
前記撮像ユニット２０は、ライン状に形成された可視光用の撮像素子（以下、可視光用ラインＣＣＤという。）２００と、ライン状に形成された赤外用の撮像素子（以下、赤外光用ラインＣＣＤという。）２０１と、フィルムキャリア１（搬送手段１０）で搬送されるフィルムＦの駒画像を像として前記可視光用ラインＣＣＤ２００及び赤外光用ラインＣＣＤ２０１に導くダイクロイックミラー２０２と、前記像をダイクロイックミラー２０２に導く光学系レンズ２０３とで構成されている。
【００２３】
前記ダイクロイックミラー２０２及び光学系レンズ２０３は、本体２１の後述するユニットフレーム部２１１（第一装着部２１８及び第二装着部２１９）内に位置決めされて装着されている。
【００２４】
可視光用ラインＣＣＤ２００及び赤外光用ラインＣＣＤ２０１は、光学系レンズ２０３及びダイクロイックミラー２０２を介してフィルムＦの像（画像）を撮像できるように設けられている。
【００２５】
具体的には、可視光用ラインＣＣＤ２００は、読み取り面の伸長方向が、フィルムキャリア１におけるフィルムの搬送方向と直交方向に位置し、該読み取り面がフィルムと直交するように配置され、ダイクロイックミラー２０２で反射された像を受けるようになっている。その一方で、赤外光用ラインＣＣＤ２０１は、読み取り面の伸長方向がフィルムキャリア１におけるフィルムの搬送方向と直交方向に位置し、読み取り面がフィルムと対向するように配置され、光学系レンズ２０３及びダイクロイックミラー２０２を透過した像を受けるようになっている。
【００２６】
前記本体２１は、フィルムキャリア１が装着されるキャリア装着部２１３を備えたマウントベース２１０と、前記撮像ユニット２０が取り付けられるユニットフレーム部２１１と、該ユニットフレーム部２１１に取り付けられた撮像ユニット２０がキャリア装着部２１３に装着されたフィルムキャリア１（スリット１３及び撮像用スリット１４）に対向するように、マウントベース２１０とユニットフレーム部２１１とを連結する連結フレーム部２１２とで構成されている。
【００２７】
前記マウントベース２１０は、図３に示す如く、前記キャリア装着部２１３と、連結フレーム部２１２を連結するためのフレーム連結部２１４とを備えている。
【００２８】
前記キャリア装着部２１３は、枠状に形成されており、この枠内に前記光源ユニット２２が内装される。これにより、キャリア装着部２１３は、光源ユニット２２に対向した状態でフィルムキャリア１を上面に載置して装着できるようになっている。該キャリア装着部２１３には、装着されるフィルムキャリア１を所定位置に案内する案内ローラ２１５や、所定位置に到達したフィルムキャリア１を位置決めして所定位置で固定するロック手段２１６等が設けられている。
【００２９】
前記フレーム連結部２１４は、図４に示す如く、キャリア装着部２１３に対して横並びに連設され、キャリア装着部２１３と一体的に形成されている。該フレーム連結部２１４は、図５に示す如く、連結フレーム部２１２を位置決めするための位置決手段５を備えている。位置決手段５は、互いに嵌合する位置決ピン５ａ，５ａ’と位置決穴５ｂ，５ｂ’とで構成されており、本実施形態においては、マウントベース２１０（フレーム連結部２１４）の上面に位置決穴５ｂ，５ｂ’が設けられる一方、位置決ピン５ａ，５ａ’が連結フレーム部２１２の下端面に設けられている。かかる位置決ピン５ａ，５ａ’及び位置決穴５ｂ，５ｂ’のそれぞれは、二つずつ並列に設けられている。
【００３０】
前記位置決ピン５ａ，５ａ’は、何れも横断面円形状に形成されている。その一方で、マウントベース２１０に形成された二つの位置決穴５ｂ，５ｂ’は、一方が位置決ピン５ａの横断面形状に対応して円形状に形成され、他方が並列方向に延びるように長穴状に形成されている。これにより、成形時において二つの位置決ピン５ａ，５ａ’の間隔に誤差が生じても、これらを位置決穴５ｂ，５ｂ’に嵌入できるようになっている。
【００３１】
即ち、一方の位置決ピン５ａが丸穴からなる位置決穴５ｂに嵌入した状態において、他方の位置決ピン５ａ’が並列方向において多少ずれた位置に形成されても、他方の位置決穴５ｂ’が長穴状に形成されることで、当該他方の位置決ピン５ａ’の嵌入が許容されるようになっている。
【００３２】
かかる位置決手段５は、二つの位置決ピン５ａ，５ａ’及び位置決穴５ｂ，５ｂ’が嵌合された状態で、一方の位置決ピン５ａと位置決穴５ｂとの嵌合で、水平方向（直交二軸方向）の移動を阻止すると共に、他方の位置決ピン５ａ’と位置決穴５ｂ’との嵌合で、一方の位置決ピン５ａ周りでの回転を規制し、連結フレーム部２１２とマウントベース２１０とが位置決めされるようになっている。
【００３３】
本実施形態においては、位置決ピン５ａ，５ａ’及び位置決穴５ｂ，５ｂ’で構成される位置決手段５の他に、凸条６ａとこれが嵌合される凹条６ｂとで構成された位置決手段６も設けられている（図４参照）。具体的には、前記位置決穴５ｂ，５ｂ’を挟んで両側に一対の凹条６ｂが形成されている。該凹条６ｂの底面には、連結フレーム部２１２を固定するためのネジＢを螺嵌させるネジ穴２１７が穿設されている。なお、詳細については後述するが、前記凸条６ａは、連結フレーム部２１２の後述する足部２２４の下面に形成されている（図４参照）。
【００３４】
図２に戻り、前記ユニットフレーム部２１１は、光学系レンズ２０３を装着する第一装着部２１８と、ダイクロイックミラー２０２、可視光用ラインＣＣＤ２００及び赤外光用ラインＣＣＤ２０１を装着する第二装着部２１９とで構成されている。前記第一装着部２１８は、両端が開口した筒状に形成されており、前記光学系レンズ２０３を挿入して状態で固定できるようになっている。
【００３５】
前記第二装着部２１９は、第一装着部２１８の上端開口を覆うように取り付けられる装着部本体２２０と、該装着部本体２２０に取り付けられ、可視光用ラインＣＣＤ２００及び赤外光用ラインＣＣＤ２０１を保持するＣＣＤ保持体２２１ａ，２２１ｂとで構成されている。
【００３６】
前記装着部本体２２０には、上下に貫通した第一光路Ｘ１と、第一光路Ｘ１の途中位置から水平方向に貫通した第二光路Ｘ２とが形成されており、第一光路Ｘ１と第二光路Ｘ２との分岐部分にダイクロイックミラー２０２が内装されている。
【００３７】
前記第一光路Ｘ１は、上述の如く、光学系レンズ２０３を透過した像がまっすぐそのまま赤外光用ラインＣＣＤ２０１に導けるように形成されている。その一方で、第二光路Ｘ２は、光学系レンズ２０３を透過してダイクロイックミラー２０２で水平方向に反射させた像を可視光用ラインＣＣＤ２００に導けるように形成されている。
【００３８】
前記ＣＣＤ保持体２２１ａ，２２１ｂは、可視光用ラインＣＣＤ２００及び赤外光用ラインＣＣＤ２０１のそれぞれに対して設けられている。即ち、ＣＣＤ保持体２２１ａ，２２１ｂには、可視光用ラインＣＣＤ２００用のものと、赤外光用ラインＣＣＤ２０１用のものとが設定されている。各ＣＣＤ保持体２２１ａ，２２１ｂは、装着部本体２２０に対して可動式の連結機構２２３ａ，２２３ｂを介して取り付けらている（図１及び図３参照）。これにより、ＣＣＤ保持体２２１ａ，２２１ｂを第一装着部２１８に固定された装着部本体２２０に対して相対的に姿勢を変更させることで、可視光用ラインＣＣＤ２００及び赤外光用ラインＣＣＤ２０１の何れも、上述の姿勢にできるようになっている。なお、可視光用ラインＣＣＤ２００及び赤外光用ラインＣＣＤ２０１が適正な姿勢になった状態で連結機構２２３ａ，２２３ｂにハンダを流し込み、該連結機構２２３ａ，２２３ｂを可動不能にして可視光用ラインＣＣＤ２００及び赤外光用ラインＣＣＤ２０１が適正な姿勢で維持するようにしている。
【００３９】
本実施形態に係る連結フレーム部２１２は、ユニットフレーム部２１１とマウントベース２１０とを所定間隔をおいて対向状態で連結させるべく、ユニットフレーム部２１１とマウントベース２１０との間に介在するものであり、ユニットフレーム部２１１（第一装着部２１８）の軸線方向において下方に延びるようにユニットフレーム部２１１と一体成形されている。
【００４０】
該連結フレーム部２１２の下端面には、上述の如く、フレーム連結部２１４（マウントベース２１０）に形成された位置決穴５ｂ、５ｂ’に嵌入する二つの位置決ピン５ａ，５ａ’が間隔をおいて並列に突設されている。さらに、該連結フレーム部２１２の下端部の両側部分には、図４に示す如く、水平方向の延出した足部２２４が設けられている。該足部２２４には、連結フレーム部２１２をマウントべース２１０に固定するためのネジＢを挿通する挿通部２２５が上下に貫通して形成されており、該挿通部２２５に挿通したネジＢをマウントベース２１０のネジ穴２１７に螺合することで、ユニットフレーム部２１０及び連結フレーム部２１２をマウントベース２１０に連結（固定）できるようになっている。
【００４１】
そして、該足部２２４の下面には、上述の如く、マウントベース２１０に形成された凹条６ｂ（位置決手段６）に嵌合される凸条６ａ（位置決手段６）が形成されており、位置決ピン５ａ，５ａ’と位置決穴５ｂ，５ｂ’との嵌合による位置決めに加え、連結フレーム部２１２とマウントベース２１０との相対的な移動（位置ズレ）をさらに拘束して位置決め精度をさらに向上させるようにしている。
【００４２】
図２に戻り、前記光源ユニット２２は、前記キャリア装着部２１３（枠内）に内装され、フィルムキャリア１で搬送されるフィルムＦに対して下方から光を照射するものである。該光源ユニット２２は、赤外光及び赤色光を発光する複数の赤外赤色発光素子（以下、赤色ＬＥＤという。）２３０、緑色光を発光する複数の緑色光発光素子（緑色ＬＥＤという。）２３１、青色光を発光する複数の青色発光素子（以下、青色ＬＥＤという。）２３２、これらの光の方向を変えるダイクロイックミラー２３３、光学系のレンズ２３４等によって構成されている。
【００４３】
複数の赤色ＬＥＤ２３０は、ライン状に配置され、ダイクロイックミラー２３３、レンズ２３４を介して、キャリア装着部２１３に装着されたフィルムキャリア１のスリット１３及び撮像用スリット１４、即ちフィルムＦに向けて赤色光を照射し、該赤色光が撮像ユニット２０に到達するようになっている。また、緑色ＬＥＤ２３１、及び青色ＬＥＤ２３２のそれぞれについても、赤色ＬＥＤ２３０と同様にライン状に配置され、ダイクロイックミラー２３３及びレンズ２３４を介して、スリット１３及び撮像用スリット１４、即ちフィルムＦに向けて緑色光及び青色光を照射し、該緑色光及び青色光が撮像ユニット２０に到達するようになっている。
【００４４】
本実施形態に係る画像読取装置は、以上からなり、次に、上記構成の画像読取装置の組み立てについて説明する。
【００４５】
まず、ユニットフレーム部２１１（第一装着部２１８）に光学系レンズ２０３を挿入し、所定位置になるように配置する。そして、ダイクロイックミラー２０２を内装した装着部本体２２０に、ＣＣＤ保持体２２１ａ，２２１ｂ及び連結機構２２３ａ，２２３ｂを介して可視光用ラインＣＣＤ２００及び赤外光用ラインＣＣＤ２０１を取り付け、その装着部本体２２０を第一装着部２１８の上端に固定する。この状態で、可視光用ラインＣＣＤ２００及び赤外光用ラインＣＣＤ２０１（ＣＣＤ保持体２２１ａ，２２１ｂ）は、連結機構２２３ａ，２２３ｂを介して共に可動状態となっている。なお、装着部本体２２０を第一装着部２１８の上端に固定した後、装着部本体２２０に、ＣＣＤ保持体２２１ａ，２２１ｂ及び連結機構２２３ａ，２２３ｂを介して可視光用ラインＣＣＤ２００及び赤外光用ラインＣＣＤ２０１を取り付けても勿論よい。
【００４６】
そして、マウントベース２１０のキャリア装着部２１３（枠内）に光源ユニット２２を内装した後、あるいは内装する前に、ユニットフレーム部２１１に撮像ユニット２０を装着した本体２１をマウントベース２１０に固定する。この際、連結フレーム部２１２に設けた二つの位置決ピン５ａ，５ａ’を、マウントベース２１０の位置決穴５ｂ，５ｂ’に嵌入すると共に、足部２２４の凸条６ａをマウントベース２１０の凹条６ｂに嵌合させることで、ユニットフレーム部２１１及び連結フレーム部２１２は、マウントベース２１０に対して水平方向の移動と位置決ピン５ａ周りの回転とが確実に規制され、所定位置に位置決めされた状態となり、光源ユニット２２の光軸と光学系レンズ２０３の焦点とが一致した状態になる。
【００４７】
そして、ネジＢを介してユニットフレーム部２１０及び連結フレーム部２１２をマウントベース２１０に固定した後、ＣＣＤ保持体２２１ａ，２２１ｂを動かして可視光用ラインＣＣＤ２００及び赤外光用ラインＣＣＤ２０１の姿勢を調節する。即ち、本体２１、マウントベース２１０、光源ユニット２２のそれぞれの相対位置が適正な状態になった後、可視光用ラインＣＣＤ２００及び赤外光用ラインＣＣＤ２０１の撮像中心が光学系レンズ２０３の焦点とが一致するように、可視光用ラインＣＣＤ２００及び赤外光用ラインＣＣＤ２０１の姿勢を調節する。
【００４８】
そして、可視光用ラインＣＣＤ２００及び赤外光用ラインＣＣＤ２０１の撮像中心が光学系レンズ２０３の焦点とが一致、即ち、撮像ユニット２０の撮像中心と、光源ユニット２２の光軸（フィルムキャリア１でのフィルムＦの搬送中心）とが一致した状態になると、連結機構２２３ａ，２２３ｂにハンダを流し込んで組み立てが完了する。このように連結機構２２３ａ，２２３ｂにハンダを流し込むことで、ＣＣＤ保持体２２１ａ，２２１ｂが移動不能となり、可視光用ラインＣＣＤ２００及び赤外光用ラインＣＣＤ２０１の姿勢が適正な状態で維持することになる。
【００４９】
以上のように、本実施形態に係る画像読取装置は、ユニットフレーム部２１１と連結フレーム部２１２とが一体的に成形されいるので、組み立て時においてユニットフレーム部２１１と連結フレーム部２１２との位置調整が不要である。そして、マウントベース２１０と連結フレーム部２１２とは、互いを位置決めする位置決手段５を備えると共に、位置決手段５で位置決めされた状態で連結されるように構成されているので、これらは確実に位置ズレが防止された状態て連結することができる。
【００５０】
前記位置決手段５は、互いに嵌合する位置決ピン５ａ，５ａ’と位置決穴５ｂ，５ｂ’とで構成され、マウントベース２１０に位置決穴５ｂ，５ｂ’が設けられると共に、連結フレーム部２１２に位置決ピン５ａ，５ａ’が設けられているので、位置決手段５が複雑化することなく、その上、位置決ピン５ａ，５ａ’と位置決穴５ｂ，５ｂ’との嵌合だけで確実な位置決めを行うことができる。
【００５１】
そして、前記位置決ピン５ａ，５ａ’及び位置決穴５ｂ，５ｂ’が、並列に二つずつ設けられ、一方の位置決穴５ｂ，５ｂ’は位置決ピン５ａ，５ａ’の横断面形状に即して形成され、他方の位置決穴５ｂ，５ｂ’は並列方向に延びる長穴に形成されているので、成型時において、位置決ピン５ａ，５ａ’の間隔にバラツキが生じても、長穴でその誤差を吸収して二つの位置決ピン５ａ，５ａ’を位置決穴５ｂ，５ｂ’に嵌入することができる。
【００５２】
さらに、本実施形態においては、位置決ピン５ａ，５ａ’及び位置決穴５ｂ，５ｂ’で構成した位置決手段５に加え、互い嵌合する凸条６ａ及び凹条６ｂで構成された位置決手段６を設けたので、マウントベース２１４に対する連結フレーム部２１２の移動をさらに拘束し、連結フレーム部２１２とマウントベース２１４との位置決め精度を高めることができる。
【００５３】
尚、本発明の画像読取装置は、上記した実施の形態に限定されるものではなく、本発明の要旨を逸脱しない範囲内において種々変更を加え得ることは勿論である。
【００５４】
上記実施形態において、ユニットフレーム部２１１と連結フレーム部２１２とを一体的に成形し、連結フレーム部２１２とマウントベース２１０とに位置決手段５を設けるようにしたが、これに限定されるものではなく、例えば、マウントベース２１０と連結フレーム部２１２とを一体的に成形し、ユニットフレーム部２１１と連結フレーム部２１２とに互いの位置決めを行う位置決手段５を設けるようにしてもよい。このようすれば、マウントベース２１０と連結フレーム部２１２との相対位置の調整は一切不要である上に、位置決手段５によってユニットフレーム部２１１と連結フレーム部２１２との相対位置の調整が不要であり、撮像ユニット２０の調整だけでよい。
【００５５】
上記実施形態において、位置決ピン５ａ，５ａ’及び位置決穴５ｂ，５ｂ’を二つずつ設けて本体２１とマウントベース２１０との水平方向（直交二軸方向）での相対移動を防止するようにしたが、例えば、位置決ピン５ａ，５ａ’の横断面形状を多角形状に形成し、位置決穴５ｂ，５ｂ’をその位置決ピン５ａ，５ａ’の横断面形状に対応した穴形状にして、位置決ピン５ａ，５ａ’及び位置決穴５ｂ，５ｂ’のそれぞれを一つずつ設けるようにしてもよい。このようにすれば、位置決ピン５ａ，５ａ’を位置決穴５ｂ，５ｂ’に挿入するだけで、連結フレーム部２１２とマウントベース２１０との相対移動（水平方向の移動、及び回転）が規制されるため、ユニットフレーム２１１、連結フレーム部２１２及びマウントベース２１０の三者を確実に位置決めすることができる。
【００５６】
上記実施形態において、足部２２４の下面に凸条６ａを設け、マウントベース２１０に凸条６ａを嵌合させる凹条６ｂを形成するようにしたが、これに限定されるものではなく、例えば、位置決ピン５ａ，５ａ’及び位置決穴５ｂ，５ｂ’のみで位置決手段５を構成するようにしてもよい。他方、位置決ピン５ａ，５ａ’及び位置決穴５ｂ，５ｂ’を設けることなく、凸条６ａ及び凹条６ｂで位置決手段５を構成するようにしてもよい。但し、凸条６ａ及び凹条６ｂは、直線状に延びるため、凸条６ａ及び凹条６ｂを二つずつ形成し、一方の凸条６ａ及び凹条６ｂを他方の凸条６ａ及び凹条６ｂに対して直交方向に延びるように形成して、水平方向への移動を防止するようにすることは勿論のことである。
【００５７】
上記実施形態において、ユニットフレーム部２１１に装備される撮像ユニット２０を可視光用ラインＣＣＤ２００、赤外光用ラインＣＣＤ２０１、光学系レンズ２０３、及びダイクロイックミラー２０２で構成するようにしたが、これに限定されるものではなく、種々変更可能である。
【００５８】
上記実施形態において、ユニットフレーム部２１１の第二装着部２１９（装着部本体２２０）を第一装着部２１８に対して別体で構成したが、これに限定されるものではなく、例えば、第一装着部２１８と装着部本体２２０とを一体的に構成し、該装着部本体２２０に対して連結機構２２３ａ，２２３ｂを介して可視光用ラインＣＣＤ２００及び赤外光ラインＣＣＤを取り付けるようにしてもよい。
【図面の簡単な説明】
【００５９】
【図１】本発明の一実施形態に係る画像読取装置の全体斜視図を示す。
【図２】同実施形態に係る画像読取装置の断面図であって、図１のＩ−Ｉ断面を示す。
【図３】同実施形態に係る画像読取装置装置の斜視図であって、フィルムキャリアを取り外した状態を示す。
【図４】同実施形態に係る画像読取装置における撮像装置の斜視図であって、光源ユニットを省略した図を示す。
【図５】同実施形態に係る画像読取装置における撮像装置の斜視図であって、光源ユニットを省略し、本体とマウントベースを分解した状態を示す。
【符号の説明】
【００６０】
１…フィルムキャリア、２…撮像装置、５…位置決手段、５ａ，５ａ…位置決ピン、５ｂ，５ｂ…位置決穴、６…位置決手段、６ａ…凸条、６ｂ…凹条、１０…搬送手段、１１…ケーシング、１１ａ，１１ｂ…分割ケース、１２…搬送フレーム部、１２ａ，１２ｂ…分割フレーム部、１３…スリット、１４…撮像用スリット、２０…撮像ユニット、２１…本体、２２…光源ユニット、２０２…ダイクロイックミラー、２０３…光学系レンズ、２１０…マウントベース、２１１…ユニットフレーム部、２１２…連結フレーム部、２１３…キャリア装着部、２１４…フレーム連結部、２１５…案内ローラ、２１６…ロック手段、２１７…ネジ穴、２１８…第一装着部、２１９…第二装着部、２２０…装着部本体、２２１ａ，２２１ｂ…ＣＣＤ保持体、２２３ａ，２２３ｂ…連結機構、２２４…足部、２２５…挿通部、２３３…ダイクロイックミラー、２３４…レンズ、Ｂ…ネジ、２００…可視光用ラインＣＣＤ、２０１…赤外光用ラインＣＣＤ、２３０…赤色ＬＥＤ、２３１…緑色ＬＥＤ、２３２…青色ＬＥＤ、Ｒ…搬送軌道、Ｘ１…第一光路、Ｘ２…第二光路
【図１】
2007036817.tif 000003
【図２】
2007036817.tif 000004
【図３】
2007036817.tif 000005
【図４】
2007036817.tif 000006
【図５】
2007036817.tif 000007